(57)【要約】【課題】飼い主自身がペットの体をシャンプーすることができるセルフシャンプー装置及びそれを具備したセルフシャンプーブースを提供する。【解決手段】背板部材と、該背板部材に後端部が当接して垂直に立設された相対向する一対の側板部材と、該背板部材に後端部が当接されかつ該側板部材に両側端部がそれぞれ当接され、かつ該背板部材の適宜位置に水平に固着され、ペットをシャンプーするための防水・排水機構を備えたシャンプー台部材と、前記背板部材、側板部材又はシャンプー台部材のいずれかに設けられたシャワー部材及び温風吹き出し部材と、前記一対の側板部材のそれぞれに設けられた一対の円弧状レール部材と、該レール部材に摺動可能に保持された可動式水濡れ防止パネルと、からなり、飼い主が前記防水パネル越しにペットをシャンプーする際に、飼い主自身が濡れることなくペットの体をシャンプーすることができるようにした。【選択図】  図１
2005304380.tif 000002
【特許請求の範囲】
【請求項１】
背板部材と、
該背板部材に後端部が当接して垂直に立設された相対向する一対の側板部材と、
該背板部材に後端部が当接されかつ該側板部材に両側端部がそれぞれ当接され、かつ該背板部材の適宜位置に水平に固着され、ペットをシャンプーするための防水・排水機構を備えたシャンプー台部材と、
前記背板部材、側板部材又はシャンプー台部材のいずれかに設けられたシャワー部材及び温風吹き出し部材と、
前記一対の側板部材のそれぞれに設けられた一対の円弧状レール部材と、
該レール部材に摺動可能に保持された可動式水濡れ防止パネルと、
からなり、
飼い主が前記防水パネル越しにペットをシャンプーする際に、飼い主自身が濡れることなくペットの体をシャンプーすることができるようにしたことを特徴とするセルフシャンプー装置。
【請求項２】
請求項１記載のセルフシャンプー装置が設置された後壁部材と、該壁部材に後端部が当接して垂直に立設された相対向する少なくとも一対の側壁部材と、飼い主がセルフシャンプーブースの中を出入りするためのセルフシャンプーブース出入り口と、を有し、飼い主がセルフシャンプーブースの中に入って前記可動式水濡れ防止パネル越しにペットをシャンプーする際に、飼い主自身が濡れることなくペットの体をシャンプーすることができるようにしたことを特徴とするセルフシャンプーブース。
【請求項３】
前記セルフシャンプーブースの適宜位置にコイン投入器を設け、コインを入れるとシャワー部材及び／又は温風吹き出し部材のスイッチが入るようにしたことを特徴とする請求項２記載のセルフシャンプーブース。
【発明の詳細な説明】
【技術分野】
【０００１】
本発明は、飼い主自身がペットの体をシャンプーするためのセルフシャンプー装置及びそれを具備したセルフシャンプーブースに関する。
【背景技術】
【０００２】
飼い主が汚れた犬等のペットの体をシャンプー（洗髪）する場合には、自宅の浴室等を利用してペットの体を洗うことが多い。しかし、ペットの体を浴室で洗うと、ペットの種類や季節によっては抜け毛が多く、浴室の排水溝に目詰まりしてしまう。
【０００３】
また、自宅の浴室でペットを洗うには、浴室の床で飼い主がかがんだ状態を維持しなければならず、腰に負担がかかり、特にお年寄りにはつらい作業となっているという問題があった。昨今のペットブームにより、お年寄りでもペットを飼う方が増加してきており、今後もこの問題はさらに増加すると思われる。
【０００４】
さらに、自宅の浴室でペットを洗うと、ペットを洗う際のシャワーによる水しぶきや水はね等により、飼い主の方も必ず多少は濡れてしまので、飼い主はわざわざ服を着替えたりしなければならないため面倒であり、飼い主が手軽にペットを洗うことができないという問題があった。
【０００５】
一方、ペット美容院等でもペットの体をシャンプーするサービスを提供しているが、かかるサービスは高額であるために飼い主にとっては手軽に利用しづらいものであった。
【発明の開示】
【発明が解決しようとする課題】
【０００６】
本発明は、本発明者が上記した従来技術の問題点に鑑み鋭意研究を重ねた結果なされたもので、飼い主自身がペットの体をシャンプーすることができるセルフシャンプー装置であって、（ａ）立ったままシャンプーすることができるため飼い主の腰に負担がかかることがなく、（ｂ）飼い主が自分でシャンプーすることができるのでシャンプーにかかる費用が安価で済み、（ｃ）設置場所を選ばないためにどこでも設置可能であり、（ｄ）シャンプー後のペットの体を素早く乾かすことができ、（ｅ）かつ飼い主がペットを洗うときに水に濡れないセルフシャンプー装置及びそれを具備したセルフシャンプーブースを提供することを目的とする。
【課題を解決するための手段】
【０００７】
上記課題を解決するために、本発明のセルフシャンプー装置は、
背板部材と、
該背板部材に後端部が当接して垂直に立設された相対向する一対の側板部材と、
該背板部材に後端部が当接されかつ該側板部材に両側端部がそれぞれ当接され、かつ該背板部材の適宜位置に水平に固着され、ペットをシャンプーするための防水・排水機構を備えたシャンプー台部材と、
前記背板部材、側板部材又はシャンプー台部材のいずれかに設けられたシャワー部材及び温風吹き出し部材と、
前記一対の側板部材のそれぞれに設けられた一対の円弧状レール部材と、
該レール部材に摺動可能に保持された可動式水濡れ防止パネルと、
からなり、
飼い主が前記防水パネル越しにペットをシャンプーする際に、飼い主自身が濡れることなくペットの体をシャンプーすることができるようにしたことを特徴とする。
【０００８】
また、本発明のセルフシャンプーブースは、前記セルフシャンプー装置が設置されたセルフシャンプーブースであって、前記セルフシャンプー装置が設置された後壁部材と、該壁部材に後端部が当接して垂直に立設された相対向する少なくとも一対の側壁部材と、飼い主がセルフシャンプーブースの中を出入りするためのセルフシャンプーブース出入り口と、を有し、飼い主がセルフシャンプーブースの中に入って前記可動式水濡れ防止パネル越しにペットをシャンプーする際に、飼い主自身が濡れることなくペットの体をシャンプーすることができるようにしたことを特徴とする。
【０００９】
さらに、前記セルフシャンプーブースの適宜位置にコイン投入器を設け、コインを入れるとシャワー部材及び／又は温風吹き出し部材のスイッチが入るようにすれば、飼い主が必要なときにコインを入れてペットをシャンプーすることができるコイン式セルフシャンプーブースとすることができ、なお好ましい。
【発明の効果】
【００１０】
本発明のセルフシャンプー装置によれば、飼い主自身がペットの体をシャンプーすることができるセルフシャンプー装置であって、（ａ）立ったままシャンプーすることができるため飼い主の腰に負担がかかることがなく、（ｂ）飼い主が自分でシャンプーすることができるのでシャンプーにかかる費用が安価で済み、（ｃ）設置場所を選ばないためにどこでも設置可能であり、（ｄ）シャンプー後のペットの体を素早く乾かすことができ、（ｅ）かつ飼い主がペットを洗うときに水に濡れないセルフシャンプー装置及びそれを具備したセルフシャンプーブースを提供することができるという著大な効果を奏する。
【発明を実施するための最良の形態】
【００１１】
以下に本発明の実施の形態を添付図面に基づいて説明するが、本発明の技術思想から逸脱しない限り図示例以外にも種々の変形が可能なことはいうまでもない。
【００１２】
図１は本発明の実施の形態を示す概略側面図であって一方の側壁部材を外した状態、図２は本発明の実施の形態を示す概略正面図であって図１のＡ−Ａ’線の位置における断面図、図３は図１の概略平面図、図４は可動式水濡れ防止パネルが円弧状レール部材に保持されている状態を示す部分拡大概略断面図である。図５は飼い主がペットの体をシャンプーをしている状態を示す概略側面図、図６は飼い主がペットの体を乾かしている状態を示す概略側面図である。
【００１３】
本発明の実施の形態を図１〜図４に基づいて説明する。図１〜４において、符号１０は本発明のセルフシャンプーブースを示し、符号１２は本発明のセルフシャンプー装置を示す。セルフシャンプーブース１０は、後壁部材１４と、該後壁部材１４に後端部が当接して垂直に立設された相対向する少なくとも一対の側壁部材１６ａ，１６ｂと、該側壁部材１６ａ，１６ｂの前端部近傍に設けられたセルフシャンプーブース出入り口１８と、を有している。
【００１４】
図示の例では、セルフシャンプーブース出入り口１８には、カーテン２０を使用したが、飼い主がセルフシャンプーブース１０内に自由に出入りすることができる構成であればよく、例えば扉構造にしたりシャッター構造にしたりすることができることはもちろんである。
【００１５】
また、セルフシャンプーブース１０を覆うように後壁部材１４及び側壁部材１６ａ，１６ｂの上端部に天井部材を設けて、個室タイプのセルフシャンプーブース１０とすることもできる。
【００１６】
このようにして、飼い主がセルフシャンプーブース出入り口１８を通ってセルフシャンプーブース内を自由に出入りできるようにされている。
【００１７】
後壁部材１４には、セルフシャンプー装置１２が設置されている。セルフシャンプー装置１２は、背板部材２２と、該背板部材２２に後端部が当接して垂直に立設された相対向する一対の側板部材２４ａ，２４ｂを有する。
【００１８】
図示例では、セルフシャンプー装置１２の背板部材２２は、セルフシャンプーブース１０の後壁部材１４と兼用して用いられており同一部材であるが、これらを独立した部材としてもよい。また、セルフシャンプー装置１２の一対の側板部材２４ａ，２４ｂは、セルフシャンプーブース１０の一対の側壁部材１６ａ，１６ｂと兼用して用いられており同一部材であるが、これらを独立した部材としてもよい。
【００１９】
セルフシャンプー装置１２は、さらにシャンプー台部材２６を有する。シャンプー台部材２６は、背板部材２２に、その後端部が当接されかつ側板部材２４ａ，２４ｂに両側端部がそれぞれ当接されており、かつ背板部材２２の適宜位置に水平に固着されている。
【００２０】
ペットをシャンプーするためのシャンプー台部材２６には防水機構として、防水パン２８が設置されている。図示例ではシャンプー台部材２６に防水パン２８を設置した例を示したが、シャンプー台部材２６が防水機構を具備する限り、他の形態であっても適用可能である。また、防水パン２８及びシャンプー台部材２６には排水口３０が開穿されており、ここから汚れた水が排水管３２を通って排水される。
【００２１】
背板部材２２の適宜位置には、シャワー部材３４が設置されており、温水又は冷水が所望の温度で給水される。また、背板部材２２の適宜位置には、飼い主がペットの体をシャンプーした後、ペットの体を乾かすための温風吹き出し部材３６が設けられている。
【００２２】
シャワー部材３４は、背板部材２２、側板部材２４ａ，２４ｂ又はシャンプー台部材２６のいずれかに設けられればよいものであるから、図示例のように背板部材２２に取り付けてもよいし、図示例以外にも、例えば、側板部材２４ａ，２４ｂ又はシャンプー台部材２６の適宜位置に取り付けたりすることができることはいうまでもない。
【００２３】
また、温風吹き出し部材３６についても、背板部材２２、側板部材２４ａ，２４ｂ又はシャンプー台部材２６のいずれかに設けられればよいものであるから、図示例のように背板部材２２に取り付けてもよいし、図示例以外にも、例えば、側板部材２４ａ，２４ｂ又はシャンプー台部材２６の適宜位置に取り付けたりすることができることはいうまでもない。
【００２４】
この温風吹き出し部材３６としては、温風が吹き出す構成とされたものであればいずれの装置も適用可能である。例えば、人間の髪の毛を乾かすために用いられる市販のドライヤー等であってもよいし、ペット美容院で使用されているようなアームのついたペット用ドライヤー等であってもよい。
【００２５】
符号３８は、シャンプー剤置き場を示しており、ここにはペットを洗うためのペット用シャンプー剤４０を置くことができる。
【００２６】
また、一対の側板部材２４ａ，２４ｂのそれぞれには、一対の円弧状レール部材４２ａ，４２ｂが設けられている。該円弧状レール部材４２ａ，４２ｂには、可動式水濡れ防止パネル４４が摺動可能に保持されている。
【００２７】
防水パネル４４には、洗い手の両腕を入れるための腕孔４６，４８が設けられており、該腕孔４６，４８には、防水アームカバー５０，５２が設けられている。そして、飼い主が両腕を該腕孔４６，４８に入れ，防水アームカバー５０，５２に腕を通してペットを洗うことができるようにされている。このようにすることにより、飼い主がペットをシャンプーする際に飼い主の腕が濡れることがない。
【００２８】
可動式水濡れ防止パネル４４が円弧状レール部材４２ａ，４２ｂに摺動可能に保持された構造を図４に詳しく示す。図４において、可動式水濡れ防止パネル４４は、該可動式水濡れ防止パネル４４の端部に設けられたＴ字状係合部材５４により、側板部材２４ａに設けられた円弧状レール部材４２ａに摺動可能に保持されている。
【００２９】
また、図示の例では、円弧状レール部材４２ａ，４２ｂをシャンプー台部材２６の上方に設け、可動式水濡れ防止パネル４４を上方に摺動可能とした例を示したが、可動式水濡れ防止パネル４４が、必要に応じてシャンプー台部材２６からの水はねを防止することができればよいものである。
【００３０】
したがって、例えば、可動式水濡れ防止パネル４４がシャンプー台部材２６の下方へと摺動するように、シャンプー台部材２６よりも下の位置に一対の円弧状レール部材４２ａ，４２ｂを一対の側板部材２４ａ，２４ｂに設け、該円弧状レール部材４２ａ，４２ｂに可動式水濡れ防止パネル４４が摺動可能に保持されるように構成することが可能なことはいうまでもない。
【００３１】
また、側壁部材１６ｂにはコイン投入器５６が設けられており、コイン投入器５６にコインを入れるとシャワー部材３４及び温風吹き出し部材３６のスイッチが入り、シャワー部材３４から温水又は冷水が給水され、温風吹き出し部材３６からは温風が吹き出る構成とされている。
【００３２】
このように、図示の例では、コイン式セルフシャンプーブースとした例を示したが、コイン投入器５６を設けなくとも、セルフシャンプーブース１０を使用するにあたって、使用料を予め支払う前払い方式とする等、種々の形態が考えられることはいうまでもない。
【００３３】
次に、このように構成されたセルフシャンプーブース１０及びセルフシャンプー装置１２を用いて飼い主がペットをシャンプーする場合を図５及び図６に基づいて説明する。
【００３４】
まず、セルフシャンプーブース１０内にペットＰを連れて入った飼い主Ｏは、ペットＰを防水パン２８が設置されたシャンプー台部材２６に載せ、シャワー部材３４及び温風吹き出し部材３６のスイッチを入れるため、コイン投入器５６にコインをいれる。
【００３５】
そして、可動式水濡れ防止パネル４４を図示のようにセルフシャンプー装置１２の正面に摺動させ、腕孔４６，４８に腕を入れて防水アームカバー５０，５２に腕を通す。
【００３６】
このようにした後、シャワー部材３４から温水を給水しながら、ペット用シャンプー剤４０を使ってペットをシャンプーする。このとき飼い主Ｏの腕には防水アームカバー５０，５２がされており、また可動式水濡れ防止パネル４４越しにペットの体を洗うことができるので、飼い主Ｏ自身が濡れることなくペットＰの体を洗うことが出来る。
【００３７】
このようにして、飼い主ＯがペットＰの体を洗った後、飼い主Ｏは防水アームカバー５０，５２及び腕孔４６，４８から腕を抜いて可動式水濡れ防止パネル４４を図６のようにセルフシャンプー装置１２の上方へと摺動させる。
【００３８】
そして、今度は温風吹き出し部材３６から温風を吹き出させて、ペットＰの体を乾かす。このようにして、飼い主ＯはペットＰを自分で手軽にシャンプーすることができる。
【図面の簡単な説明】
【００３９】
【図１】本発明の実施の形態を示す概略側面図であって一方の側壁部材を外した状態である。
【図２】本発明の実施の形態を示す概略正面図であって図１のＡ−Ａ’線の位置における断面図である。
【図３】図１の概略平面図である。
【図４】可動式水濡れ防止パネルが円弧状レール部材に保持されている状態を示す部分拡大概略断面図である。
【図５】飼い主がペットの体をシャンプーをしている状態を示す概略側面図である。
【図６】飼い主がペットの体を乾かしている状態を示す概略側面図である。
【符号の説明】
【００４０】
１０：セルフシャンプーブース、１２：セルフシャンプー装置、１４：後壁部材、１６ａ，１６ｂ：  側壁部材、１８：セルフシャンプーブース出入り口、２０：カーテン、２２：背板部材、２４ａ，２４ｂ：側板部材、２６：シャンプー台部材、２８：防水パン、３０：  排水口、３２：排水管、３４：シャワー部材、３６：温風吹き出し部材、３８：シャンプー剤置き場、４０：ペット用シャンプー剤、４２ａ，４２ｂ：円弧状レール部材、４４：可動式水濡れ防止パネル、４６，４８：腕孔、５０，５２：防水アームカバー、５４：Ｔ字状係合部材、５６：コイン投入器、Ｏ：飼い主、Ｐ：ペット。
【図１】
2005304380.tif 000003
【図２】
2005304380.tif 000004
【図３】
2005304380.tif 000005
【図４】
2005304380.tif 000006
【図５】
2005304380.tif 000007
【図６】
2005304380.tif 000008